(57)【要約】【課題】  低温火傷を防ぎ保温性に優れ湯たんぽの収納及び収納解除を迅速容易に行うこと。【解決手段】  敷布部４ａと掛布部４ｂとからなる袋本体４内に湯たんぽ１を収納するようにした湯たんぽ袋であって、敷布部４ａと掛布部４ｂとの外周縁どうしを部分的に接続することにより、その接続部分以外の外周縁間に開口部５が形成され、その開口部５がファスナ６により開閉可能に吻合され、前記掛布部４ｂの内面に弾性スペーサ７が取り付けられている。【選択図】        図１
0003109638.tif 000002
【実用新案登録請求の範囲】
【請求項１】
敷布部と掛布部とからなる袋本体内に湯たんぽを収納するようにした湯たんぽ袋であって、前記掛布部の内面に弾性スペーサを取り付けることにより、その掛布部と湯たんぽとの間に空気層が形成されてなる湯たんぽ袋。
【請求項２】
前記弾性スペーサが直線棒状に形成されて複数用いられており、その各直線棒状弾性スペーサが掛布部の内面の全体に所定間隔をおいて取り付けられてなる請求項１に記載の湯たんぽ袋。
【請求項３】
前記弾性スペーサが長尺棒状に形成されており、その長尺棒状弾性スペーサが掛布部の内面の全体に蛇行状に取り付けられてなる請求項１に記載の湯たんぽ袋。
【請求項４】
前記弾性スペーサが点状に形成されて多数用いられており、その各点状弾性スペーサが掛布部の内面の全体に所定間隔をおいて散点状に取り付けられてなる請求項１に記載の湯たんぽ袋。
【請求項５】
前記弾性スペーサが敷布部の内面にも取り付けられてなる請求項１〜４のいずれかに記載の湯たんぽ袋。
【請求項６】
前記弾性スペーサが、布製弾性外皮内に綿製弾性芯材を充填することにより、横断面円形または四角形に形成され、弾性外皮が袋本体に縫製されてなる請求項１〜５のいずれかに記載の湯たんぽ袋。
【請求項７】
前記袋本体の敷布部と掛布部との外周縁どうしを部分的に接続することにより、その接続部分以外の外周縁間に開口部が形成され、その開口部がファスナにより開閉可能に吻合されてなる請求項１〜６のいずれかに記載の湯たんぽ袋。
【考案の詳細な説明】
【技術分野】
【０００１】
本考案は、湯たんぽを包む湯たんぽ袋に関し、特に、低温火傷を生じさせないようにしたものである。
【背景技術】
【０００２】
従来、湯たんぽに身体を直接に接触させると、火傷が生じるので、図５に示すように、湯たんぽ１を布製袋２内に収納し、図６に示すように、袋２を介して湯たんぽ１に身体Ｍを間接的に接触させるようにしている。
【特許文献１】実用新案登録第３０７４８１６号公報
【考案の開示】
【考案が解決しようとする課題】
【０００３】
上記従来の構成では、身体Ｍが袋２を介して湯たんぽ１に間接的に接触されるから、体感温度が下がって、当初は心地良いが、身体Ｍの同じ部分を湯たんぽ１に比較的長く接触させると、低温火傷が生じることがある。実験によれば、例えば体感温度が５０°Ｃで２分４５秒、４６°Ｃで４７分、４４°Ｃで３時間２０分で、低温火傷が生じることが確かめられた。
【０００４】
そこで、例えば厚手のタオルを湯たんぽ１に幾重にも巻き付けることも考えられるが、これでは、タオルの熱伝導率が比較的低いので、湯たんぽ１の熱が身体Ｍに伝わり難くなり、また、タオルの巻き付け及びそれを解くのに手間がかかって面倒である。
【０００５】
本考案は、上記従来の欠点に鑑み、低温火傷を防ぎ保温性に優れ湯たんぽの収納及び収納解除を迅速容易に行うことができる湯たんぽ袋を提供することを目的としている。
【課題を解決するための手段】
【０００６】
上記目的を達成するための構成を実施の形態に対応する図面に基づいて説明すると、請求項１に記載の考案は、図１及び図２に示すように、敷布部４ａと掛布部４ｂとからなる袋本体４内に湯たんぽ１を収納するようにした湯たんぽ袋であって、前記掛布部４ｂの内面に弾性スペーサ７を取り付けることにより、その掛布部４ｂと湯たんぽ１との間に空気層ａが形成されてなる構成を採用するものである。
【０００７】
請求項２に記載の考案は、図１（ａ）及び図３（ａ）に示すように、請求項１に記載の考案において、前記弾性スペーサ７が直線棒状に形成されて複数用いられており、その各直線棒状弾性スペーサ７が掛布部４ｂの内面の全体に所定間隔をおいて取り付けられてなる構成を採用するものである。
【０００８】
請求項３に記載の考案は、図３（ｂ）に示すように、請求項１に記載の考案において、前記弾性スペーサ７が長尺棒状に形成されており、その長尺棒状弾性スペーサ７が掛布部４ｂの内面の全体に蛇行状に取り付けられてなる構成を採用するものである。
【０００９】
請求項４に記載の考案は、図３（ｃ）に示すように、請求項１に記載の考案において、前記弾性スペーサ７が点状に形成されて多数用いられており、その各点状弾性スペーサ７が掛布部４ｂの内面の全体に所定間隔をおいて散点状に取り付けられてなる構成を採用するものである。
【００１０】
請求項５に記載の考案は、図４に示すように、請求項１〜４のいずれかに記載の考案において、前記弾性スペーサ７が敷布部４ａの内面にも取り付けられてなる構成を採用するものである。
【００１１】
請求項６に記載の考案は、図２に示すように、請求項１〜５のいずれかに記載の考案において、前記弾性スペーサ７が、布製弾性外皮７ａ内に綿製弾性芯材７ｂを充填することにより、横断面円形または四角形に形成され、弾性外皮７ａが袋本体４に縫製８されてなる構成を採用するものである。
【００１２】
請求項７に記載の考案は、図１に示すように、請求項１〜６のいずれかに記載の考案において、前記袋本体４の敷布部４ａと掛布部４ｂとの外周縁どうしを部分的に接続することにより、その接続部分以外の外周縁間に開口部５が形成され、その開口部５がファスナ６により開閉可能に吻合されてなる構成を採用するものである。
【考案の効果】
【００１３】
請求項１に記載の考案によれば、袋本体４の掛布部４ｂの内面に取り付けた弾性スペーサ７により、該掛布部４ｂを袋本体４内に収納した湯たんぽ１から所定間隔ｈだけ離間させているので、その掛布部４ｂに身体Ｍの同じ部分を比較的長く接触させても、体感温度が上がり過ぎることがなく、低温火傷を防ぐことができる。
【００１４】
また、掛布部４ｂと湯たんぽ１との間に形成した空気層ａの熱伝導率が比較的高いので、身体Ｍを良好に暖めることができる。
【００１５】
請求項２に記載の考案によれば、各直線棒状弾性スペーサ７により掛布部４ｂの全体を湯たんぽ１から所定間隔だけ離間させているので、その掛布部４ｂのどの部分に身体Ｍを接触させても低温火傷を負うおそれがなく、また、掛布部４ｂと湯たんぽ１との間に全体にわたって空気層ａをほぼ均等に形成しているから、保温性を良好に確保することができる。
【００１６】
請求項３に記載の考案によれば、長尺棒状弾性スペーサ７が掛布部４ｂの内面の全体に蛇行状に取り付けられているので、請求項２に記載の考案と同様の効果を得ることができる。
【００１７】
請求項４に記載の考案によれば、点状弾性スペーサ７が掛布部４ｂの内面の全体に所定間隔をおいて散点状に取り付けられているので、請求項２に記載の考案と同様の効果を得ることができる。
【００１８】
請求項５に記載の考案によれば、弾性スペーサ７が敷布部４ａの内面にも取り付けられているので、その敷布部４ａに身体Ｍを接触させたときでも低温火傷を負うおそれがなく、また、湯たんぽ１の全周にわたって空気層ａを形成しているので、保温性を一層良好に確保することができる。
【００１９】
請求項６に記載の考案によれば、弾性スペーサ７が、布製弾性外皮７ａとその中に充填した綿製弾性芯材７ｂとからなり、安価な材料で形成されているから、経済的である。また、クッション性に優れており、身体Ｍがその弾性スペーサ７を介して湯たんぽ１に優しく当たるから、肌触りが良好である。更に、弾性スペーサ７が横断面円形または四角形に形成されているから、その弾性スペーサ７の周辺に所定厚さの空気層ａを確実に確保することができ、しかも、弾性外皮７ａを袋本体４に縫製８することにより、その弾性スペーサ７を袋本体４に簡単確実に取り付けることができる。
【００２０】
請求項７に記載の考案によれば、袋本体４を形成する敷布部４ａと掛布部４ｂとの間の開口部５がファスナ６で開閉されるようになっているので、熱い湯たんぽ１でも指部に火傷を負うことなく簡単な手順で袋本体４内に迅速容易に収納することができると共に、冷えた湯たんぽ１を袋本体４内から簡単に取り出すことができる。
【考案を実施するための最良の形態】
【００２１】
図１及び図２は本考案の第１の実施の形態である湯たんぽ袋を示すものであって、湯たんぽ１を収納する袋本体４が敷布部４ａと掛布部４ｂとからなり、その敷布部４ａと掛布部４ｂとの外周縁どうしを部分的に接続することにより、その接続部分以外の外周縁間に開口部５が形成され、その開口部５がファスナ６により開閉可能に吻合され、前記掛布部４ｂの内面に弾性スペーサ７が取り付けられている。
【００２２】
上記構成によれば、袋本体４の掛布部４ｂの内面に取り付けた弾性スペーサ７により、該掛布部４ｂを袋本体４内に収納した湯たんぽ１から所定間隔ｈ（例えば２〜３ｃｍ）だけ離間させているので、その掛布部４ｂに身体Ｍの同じ部分を比較的長く接触させても、体感温度が例えば４２°Ｃ程度に抑えられて上がり過ぎることがなく、低温火傷を防ぐことができる。
【００２３】
また、掛布部４ｂと湯たんぽ１との間に形成した空気層ａの熱伝導率が比較的高いので、身体Ｍを良好に暖めることができる。
【００２４】
前記袋本体４の外周面に起毛処理をすることにより、ボアと称する起毛４ｃが形成されているから、肌触りが良好である。
【００２５】
前記弾性スペーサ７が直線棒状に形成されて複数用いられており、その各直線棒状弾性スペーサ７が掛布部４ｂの内面の全体に袋本体４の横断方向に沿って所定間隔をおいて取り付けられており、各直線棒状弾性スペーサ７により掛布部４ｂの全体を湯たんぽ１から所定間隔だけ離間させているので、その掛布部４ｂのどの部分に身体Ｍを接触させても低温火傷を負うおそれがなく、また、掛布部４ｂと湯たんぽ１との間に全体にわたって空気層ａをほぼ均等に形成しているので、保温性を良好に確保することができる。
【００２６】
前記弾性スペーサ７は、図２に示すように、布製弾性外皮７ａ内に綿製弾性芯材７ｂを充填することにより形成されており、これによれば、安価な材料で形成されているから、経済的である。また、クッション性に優れており、身体Ｍがその弾性スペーサ７を介して湯たんぽ１に優しく当たるから、肌触りが良好である。更に、弾性スペーサ７が横断面円形〔図２（ａ）参照〕または四角形〔図２（ｂ）参照〕に形成されているから、その弾性スペーサ７の周辺に所定厚さの空気層ａを確実に確保することができ、しかも、弾性外皮７ａを掛布部４ｂに縫製８することにより、その弾性スペーサ７を掛布部４ｂに簡単確実に取り付けることができる。
【００２７】
前記ファスナ６により袋本体４の開口部５が開閉されるようになっているので、熱い湯たんぽ１でも火傷を負うことなく簡単な手順で袋本体４内に迅速容易に収納することができると共に、冷えた湯たんぽ１を袋本体４内から簡単に取り出すことができる。
【００２８】
第１の実施の形態では、各直線棒状弾性スペーサ７を掛布部４ｂの内面の全体に袋本体４の横断方向に沿って所定間隔をおいて取り付けたが、これに限定されるわけではなく、図３（ａ）に示すように、各直線棒状弾性スペーサ７を掛布部４ｂの内面の全体に袋本体４の縦断方向に沿って所定間隔をおいて取り付けてもよいし（第２の実施の形態）、図３（ｂ）に示すように、長尺棒状弾性スペーサ７を掛布部４ｂの内面の全体に蛇行状に取り付けてもよく（第３の実施の形態）、図３（ｃ）に示すように、多数の点状弾性スペーサ７を掛布部４ｂの内面の全体に所定間隔をおいて散点状に取り付けてもよい（第４の実施の形態）。
【００２９】
上記構成によれば、第１の実施の形態と同様に、掛布部４ｂの全体を湯たんぽ１から所定間隔ｈだけ離間させているので、その掛布部４ｂのどの部分に身体Ｍを接触させても低温火傷を負うおそれがなく、また、掛布部４ｂと湯たんぽ１との間に全体にわたって空気層ａをほぼ均等に形成して保温性を確保することができる。
【００３０】
また、第１〜第４の実施の形態では、弾性スペーサ７を掛布部４ｂの内周面に取り付けたが、図４に示すように、弾性スペーサ７を敷布部４ａの内面にも取り付けるようにしてもよく、これによれば、敷布部４ａに身体Ｍを接触させたときでも低温火傷を負うおそれがなく、また、湯たんぽ１の全周にわたって空気層ａを形成しているので、保温性を一層良好に確保することができる（第５に実施の形態）。
【図面の簡単な説明】
【００３１】
【図１】（ａ）は本考案の第１の実施の形態である湯たんぽ袋の展開状態を示す斜視図、（ｂ）は同湯たんぽ収納状態の斜視図、（ｃ）はＡ−Ａ矢視図である。
【図２】（ａ）は同要部の一例を示す拡大横断面図、（ｂ）は同要部の他の例を示す拡大横断面図である。
【図３】（ａ）は本考案の第２の実施の形態である湯たんぽ袋の展開状態を示す斜視図、（ｂ）は本考案の第３の実施の形態である湯たんぽ袋の展開状態を示す斜視図、（ｃ）は本考案の第４の実施の形態である湯たんぽ袋の展開状態を示す斜視図である。
【図４】本考案の第５の実施の形態である湯たんぽ袋の横断面図である。
【図５】従来例を示す斜視図である。
【図６】同横断面図である。
【符号の説明】
【００３２】
１        湯たんぽ
４        袋本体
４ａ      敷布部
４ｂ      掛布部
５        開口部
６        ファスナ
７        弾性スペーサ
７ａ      弾性外皮
７ｂ      弾性芯材
８        縫製
ａ        空気層
Ｍ        身体
【図１】
0003109638.tif 000003
【図２】
0003109638.tif 000004
【図３】
0003109638.tif 000005
【図４】
0003109638.tif 000006
【図５】
0003109638.tif 000007
【図６】
0003109638.tif 000008